(57)【要約】【課題】腕力が弱い者でも捕獲者を容易に捕獲できる刺股を提供する。【解決手段】人間の胴体を挿入可能な形状に形成された第１、第２の二股状部材２，３と、これらの二股状部材２，３の中央部分に接続された支持棒４とを備える。前記第１、第２の二股状部材２，３は、前記支持棒４の両端に同一平面上に位置するように設けられている。【選択図】  図１
0003165292.tif 000002
【実用新案登録請求の範囲】
【請求項１】
人間の胴体を挿入可能な形状に形成された二股状部材と、
前記二股状部材の中央部分に接続された支持棒とを備え、
前記二股状部材は、前記支持棒の両端に同一平面上に位置するように設けられていることを特徴とする刺股。
【請求項２】
請求項１記載の刺股において、前記二つの二股状部材のうち、一方の二股状部材には、尖った先端を有する多数の突子が設けられていることを特徴とする刺股。
【請求項３】
請求項１または請求項２記載の刺股において、前記支持棒は、前記二つの二股状部材のうち一方の二股状部材が一端部に固定された第１の支持棒本体と、
他方の二股状部材が一端部に固定された第２の支持棒本体と、
前記第１の支持棒本体の他端部と前記第２の支持棒本体の他端部とをこれらの支持棒本体の長手方向とは直交する方向を軸線方向として回動自在に連結する軸部材と、
前記第１の支持棒本体と第２の支持棒本体とのいずれか一方の支持棒本体に嵌合状態で前記長手方向に移動自在に支持された可動部材とによって構成され、
前記可動部材は、前記軸部材が露出する後退位置と、前記軸部材を覆うとともに第１の支持棒本体および第２の支持棒本体に嵌合する前進位置との間で移動可能であることを特徴とする刺股。
【考案の詳細な説明】
【技術分野】
【０００１】
本考案は、使用者が把持するハンドルを備えた刺股に関するものである。
【背景技術】
【０００２】
従来のこの種の刺股としては、たとえば特許文献１に記載されているものがある。この特許文献１に開示された刺股は、使用者が把持する把持棒と、この把持棒の先端に設けられた二股状の湾曲アームとを備えている。前記把持棒の使用者側の端部には、１本の短い棒状の操作ハンドルが把持棒に対して起立するように設けられている。この操作ハンドルは、使用者が把持して刺股を捻るためのものである。すなわち、湾曲アームで被捕獲者を捕らえた状態で前記操作ハンドルを用いて刺股全体を捻ることによって、被捕獲者をねじ伏せることができる。
【先行技術文献】
【特許文献】
【０００３】
【特許文献１】実用新案登録第３０８５８２４号公報
【考案の概要】
【考案が解決しようとする課題】
【０００４】
特許文献１に開示された刺股は、使用者が片手で把持棒を把持し、他方の手で操作ハンドルを把持して使用するものであるため、使用者に強い腕力が必要になるという問題があった。
【０００５】
本考案はこのような問題を解消するためになされたもので、腕力が弱い者でも捕獲者を容易に捕獲できる刺股を提供することを目的とする。
【課題を解決するための手段】
【０００６】
この目的を達成するために、本考案に係る刺股は、人間の胴体を挿入可能な形状に形成された二股状部材と、前記二股状部材の中央部分に接続された支持棒とを備え、前記二股状部材は、前記支持棒の両端に同一平面上に位置するように設けられているものである。
本考案は、上記考案において、前記二つの二股状部材のうち、一方の二股状部材には、尖った先端を有する多数の突子が設けられているものである。
【０００７】
本考案は、上記考案において、前記支持棒は、前記二つの二股状部材のうち一方の二股状部材が一端部に固定された第１の支持棒本体と、他方の二股状部材が一端部に固定された第２の支持棒本体と、前記第１の支持棒本体の他端部と前記第２の支持棒本体の他端部とをこれらの支持棒本体の長手方向とは直交する方向を軸線方向として回動自在に連結する軸部材と、前記第１の支持棒本体と第２の支持棒本体とのいずれか一方の支持棒本体に嵌合状態で前記長手方向に移動自在に支持された可動部材とによって構成され、前記可動部材は、前記軸部材が露出する後退位置と、前記軸部材を覆うとともに第１の支持棒本体および第２の支持棒本体に嵌合する前進位置との間で移動可能であることを特徴とするものである。
【考案の効果】
【０００８】
本考案に係る刺股は、使用者が一方の二股状部材を両手で把持してこの二股状部材の内部に入り、さらに、この二股状部材を腹部で押して使用する。このため、この刺股においては、使用者が二股状部材の両端部をそれぞれ把持できるから、強い力で上下、左右方向に振ったり、捻ることができる。また、腹部で二股状部材を押すことができるから、他方の二股状部材で被捕獲者を捕らえた状態で刺股を被捕獲者に強く押し付けることができる。
したがって、本考案によれば、腕力だけでなく使用者の下半身の力をも用いて刺股を被捕獲者に押し付けることができるから、腕力が弱い者でも捕獲者を容易に捕獲することが可能な刺股を提供することができる。
【図面の簡単な説明】
【０００９】
【図１】本考案に係る刺股を示す図で、同図（Ａ）は平面図、同図（Ｂ）は側面図、同図（Ｃ）は側面図である。
【図２】図１（Ａ）におけるII−II線断面図である。
【図３】支持棒の中央部の収納状態を示す断面図である。
【図４】第１の連結部材を示す図で、同図（Ａ）は平面図、同図（Ｂ）は側面図、同図（Ｃ）は正面図である。
【図５】第２の連結部材を示す図で、同図（Ａ）は平面図、同図（Ｂ）は側面図、同図（Ｃ）は第１の連結部材側から見た背面図である。
【図６】第３の連結部材を示す図で、同図（Ａ）は平面図、同図（Ｂ）は側面図、同図（Ｃ）は正面図である。
【図７】支軸を示す図で、同図（Ａ）は正面図、同図（Ｂ）は側面図である。
【考案を実施するための形態】
【００１０】
以下、本考案に係る刺股の一実施の形態を図１〜図７によって詳細に説明する。
図１に示す刺股１は、一対の二股状部材２，３と、これらの二股状部材２，３どうしを接続する支持棒４とによって構成されている。この考案に係る刺股１は、前記一対の二股状部材２，３のうち、図１（Ａ）において右側に位置する第１の二股状部材２を使用者（図示せず）が両手で把持し、他方の第２の二股状部材３を被捕獲者（図示せず）に向けて使用するものである。
【００１１】
前記第１、第２の二股状部材３は、アルミニウム合金製の丸棒からなり、図１（Ａ）に示すように、平面視において半円状に成形されている。これらの第１、第２の二股状部材２，３は、その内部に人間の胴体を挿入できるような大きさに形成されている。第１の二股状部材２と第２の二股状部材３とは、互いに同一の形状に形成されており、後述する支持棒４の両端に同一平面上に位置するように溶接されている。この実施の形態による第１、第２の二股状部材２，３の先端部には、ゴム製のキャップ５が取付けられている。
【００１２】
第２の二股状部材３には、図１（Ａ）に示すように、尖った先端を有する多数の突子６が設けられている。この突子６は、被捕獲者が第２の二股状部材３を把持することを防ぐためのもので、第２の二股状部材３が手で把持されたときに被捕獲者に痛みを与えるように形成されている。この実施の形態による前記多数の突子６は、第２の二股状部材３を被捕獲者に押し付けたときに突子６で被捕獲者を傷つけるようなことがないように、平面視半円状の第２の二股状部材３の外周部分に配設されている。
【００１３】
前記支持棒４は、詳細は後述するが、複数の部材を組み合わせることによって形成されており、図１（Ａ），（Ｂ）に示す使用形態と、図１（Ｃ）に示す収納形態とを採ることができるように構成されている。
この実施の形態による支持棒４は、図１（Ａ），（Ｂ）に示すように、前記第１の二股状部材２が一端部に溶接された第１の支持棒本体１１と、前記第２の二股状部材３が一端部に溶接された第２の支持棒本体１２と、これら第１、第２の支持棒本体１１，１２を連結するためのヒンジ１３｛図１（Ｃ）参照｝とから構成されている。
【００１４】
前記第１、第２の支持棒本体１１，１２は、それぞれアルミニウム合金製のパイプからなる第１、第２のパイプ部材１４，１５と、これらのパイプ部材１４，１５における前記二股状部材２，３とは反対側の端部に設けられた後述する連結用の部材（図２，４参照）とによって構成されている。第１、第２のパイプ部材１４，１５の断面形状は円形である。これらの第１、第２のパイプ部材１４，１５は、外径が一致するように形成されている。
【００１５】
これらのパイプ部材１４，１５の一端部は、第１、第２の二股状部材２，３の中央部分に溶接されている。ここでいう中央部分とは、第１、第２の二股状部材２，３において、一端から他端に向かう方向の中央部分である。第１、第２の二股状部材２，３は、前記中央部分が互いに対向する状態で第１、第２のパイプ部材１４，１５に溶接されている。この溶接部分には、図１（Ａ）に示すように、それぞれ補強用リブ１６が溶接されている。この実施の形態においては、第２のパイプ部材１５における第２の二股状部材３側の端部にも前記突子６が設けられている。
【００１６】
第１の支持棒本体１１の他端部は、図２および図３に示すように、前記第１のパイプ部材１４に溶接された第１の連結部材２１と、この第１の連結部材２１の一部を外側から覆う筒体２２と、これらの部材を第１のパイプ部材１４に結合させるための丸棒状の連結ピン２３とによって構成されている。
第１の連結部材２１は、図４に示すように、前記第１のパイプ部材１４の中に嵌合するように形成された円柱部２１ａと、この円柱部２１ａに前記第１のパイプ部材１４の外に突出するように一体に形成された一対の連結片２１ｂ，２１ｃとから構成されている。
【００１７】
この第１の連結部材２１は、アルミニウム合金によって形成されている。前記円柱部２１ａには、前記連結ピン２３を挿通させるための貫通孔２４が穿設されている。前記連結片２１ｂ，２１ｃは、図４（Ｃ）に示すように、先端側から見て外形が円形になるように形成されている。この円の外径は、第１のパイプ部材１４の外径と一致するように形成されている。
【００１８】
この連結片２１ｂ，２１ｃには、後述する第１の支軸２５（図２および図３参照）を圧入させるための貫通孔２６が穿設されている。
前記筒体２２は、第１のパイプ部材１４の先端部を覆うとともに前記連結片２１ｂ，２１ｃの先端部が突出するように形成されている。この筒体２２には、前記連結ピン２３を挿通させるための貫通孔２７（図２参照）が穿設されている。この筒体２２と、前記連結ピン２３とは、それぞれステンレス鋼によって形成されている。この筒体２２と前記第１の連結部材２１とは、それぞれ第１の支持棒本体１１に嵌合した状態で貫通孔２４，２７と、第１のパイプ部材１４の貫通孔２８とに連結ピン２３を貫通させることによって、第１のパイプ部材１４に固定されている。
【００１９】
第２の支持棒本体１２における第２の二股状部材３とは反対側に位置する他端部は、図２および図３に示すように、第２のパイプ部材１５に溶接された第２の連結部材３１によって構成されている。この実施の形態においては、前記第２の連結部材３１を有する第２の支持棒本体１２の端部に可動部材３２が設けられている。
前記第２の連結部材３１は、図５に示すように、第２のパイプ部材１５の中に嵌合するように形成された円柱部３１ａと、この円柱部３１ａに第２のパイプ部材１５の外に突出するように一体に形成された一対の連結片３１ｂ，３１ｃとから構成されている。この第２の連結部材３１は、アルミニウム合金によって形成されている。前記円柱部３１ａは、第２のパイプ部材１５に溶接されている。
【００２０】
前記連結片３１ｂ，３１ｃは、図５（Ｃ）に示すように、先端側から見て外形が円形になるように形成されている。この円の外径は、第２のパイプ部材１５の外径と一致するように形成されている。この連結片３１ｂ，３１ｃには、後述する第２の支軸３３（図２および図３参照）を圧入させるための貫通孔３４が穿設されている。
【００２１】
前記可動部材３２は、図２に示すように、第２のパイプ部材１５に長手方向に移動自在に嵌合したパイプ３２ａと、このパイプ３２ａの先端部に溶接されたソケット３２ｂとによって構成されている。これらのパイプ３２ａとソケット３２ｂとは、ステンレス鋼によって形成されている。パイプ３２ａは、第２のパイプ部材１５に溶接されたストッパー３５（図２参照）と第２のパイプ部材１５の先端との間に嵌合状態で移動自在に支持されている。パイプ３２ａの第２の二股状部材３側への移動は、前記ストッパー３５によって規制される。
【００２２】
このパイプ３２ａの外周部には、操作時に指が滑り難くなるようにローレット加工（図１参照）が施されている。
前記ソケット３２ｂは、前記筒体２２の先端部に嵌合する円筒状に形成されている。なお、ソケット３２ｂと筒体２２との接続部は、単なる周面どうしが嵌合する構造に限定されることはなく、図示してはいないが、ソケット３２ｂに形成された雌ねじが筒体２２側の雄ねじに螺合する構造とすることもできる。
【００２３】
前記ヒンジ１３は、図２および図３に示すように、前記第１の連結部材２１と第２の連結部材３１との間に位置する第３の連結部材４１と、この第３の連結部材４１を第１、第２の連結部材２１，３１に連結するための第１、第２の支軸２５，３３とによって構成されている。第１、第２の支軸２５，３３は、図７に示すように、それぞれ円柱状に形成されている。
【００２４】
第３の連結部材４１は、図６に示すように、側面視において長円形の板状に形成されている。この第３の連結部材４１の材料はアルミニウム合金である。第３の連結部材４１の幅｛図６（Ｂ）においては上下方向の幅｝は、前記可動部材３２の中に嵌合状態で挿入できるように形成されている。第３の連結部材４１の厚みは、前記一対の連結片２１ｂ，２１ｃ，３１ｂ，３１ｃどうしの間に挿入できるように形成されている。また、第３の連結部材４１の両端部には、前記第１、第２の支軸２５，３３が回動自在に嵌合する貫通孔４２，４３が穿設されている。
【００２５】
第３の連結部材４１の一端部は、第１の連結部材２１の連結片２１ｂ，２１ｃどうしの間に挿入され、これら両部材の貫通孔２６，４２に第１の支軸２５を貫通させることによって、第１の連結部材２１に第１の支軸２５を中心にして回動自在に連結される。第１の支軸２５の軸線方向は、第１の支持棒本体１１の長手方向と直交する方向であって、前記第１の二股状部材２の一端から他端に向かう左右方向である。すなわち、第１の支持棒本体１１は、第１の支軸２５を中心にして第３の連結部材４１に対して折れ曲がることができる。
【００２６】
第３の連結部材４１の他端部は、第２の連結部材３１の連結片３１ｂ，３１ｃどうしの間に挿入され、これら両部材の貫通孔３４，４３に第２の支軸３３を貫通させることによって、第２の連結部材３１に第２の支軸３３を中心にして回動自在に連結される。第２の支軸３３の軸線方向は、前記第１の支軸２５の軸線方向と平行な方向である。すなわち、第２の支持棒本体１２は、第２の支軸３３を中心にして第３の連結部材４１に対して折れ曲がることができる。
【００２７】
すなわち、ヒンジ１３は、前記第１の支持棒本体１１の前記他端部と前記第２の支持棒本体１２の前記他端部とをこれらの支持棒本体１１，１２の長手方向とは直交する方向を軸線方向として回動自在に連結することになる。この実施の形態においては、このヒンジ１３によって、本考案でいう「軸部材」が構成されている。
【００２８】
第１、第２の支持棒本体１１，１２とヒンジ１３とが同一軸線上に位置する状態においては、前記可動部材３２を第２の支持棒本体１２のみに支持される後退位置から第１の支持棒本体１１側へ前進させることができる。この可動部材３２は、図２に示すように、ソケット３２ｂが第１の連結部材２１の筒体２２に嵌合するまで前進させることができる。可動部材３２は、前記前進位置に位置している状態において、前記ヒンジ１３を外側から覆うとともに、第１、第２の支持棒本体１１，１２に嵌合する。この実施の形態による可動部材３２は、前記前進位置において、ヒンジ１３の第３の連結部材４１にも嵌合している。
【００２９】
可動部材３２が上述したように前進位置に位置することによって、図１（Ａ），（Ｂ）に示すように、刺股１が使用可能な状態、すなわち「使用形態」になる。一方、可動部材３２を前記前進位置から後退位置に移動させた状態においては、ヒンジ１３が露出することになり、図３に示すように、前記第３の連結部材４１に対して第１、第２の連結部材２１、３１をそれぞれ曲げることが可能になる。この刺股１は、第３の連結部材４１に対して第１、第２の連結部材３１をそれぞれ逆方向に直角に曲げることによって、図１（Ｃ）および図３に示すように、第１、第２の支持棒本体１１，１２どうしが互いに重なる「収納形態」になる。
【００３０】
このように構成された刺股１は、使用形態とした状態で使用者が両手で第１の二股状部材２を把持して第１の二股状部材２の内部に入り、腹部で第１の二股状部材２を押して使用する。この刺股１においては、使用者が二股状部材の両端部をそれぞれ把持できるから、強い力で上下、左右方向に振ったり、捻ることができる。また、腹部で第１の二股状部材２を押すことができるから、第２の二股状部材３で被捕獲者を捕らえた状態で刺股１を被捕獲者に強く押し付けることができる。
したがって、この実施の形態によれば、腕力だけでなく使用者の下半身の力をも用いて刺股１を被捕獲者に押し付けることができるから、腕力が弱い者でも捕獲者を容易に捕獲することが可能な刺股１を提供することができる。
【００３１】
この実施の形態による第２の二股状部材３には、尖った先端を有する多数の突子６が設けられている。このため、この実施の形態による刺股１によれば、被捕獲者が第２の二股状部材３を把持できないか、把持できたとしても強く握ることはできないから、被捕獲者を捕獲し易くなる。
【００３２】
この実施の形態による前記支持棒４は、第１の二股状部材２が一端部に固定された第１の支持棒本体１１と、第２の二股状部材３が一端部に固定された第２の支持棒本体１２と、前記第１の支持棒本体１１の他端部と前記第２の支持棒本体１２の他端部とをこれらの支持棒本体１１，１２の長手方向とは直交する方向を軸線方向として回動自在に連結するヒンジ１３（軸部材）と、第２の支持棒本体１２に嵌合状態でこの支持棒本体１２の長手方向に移動自在に支持された可動部材３２とによって構成されている。
【００３３】
前記可動部材３２は、前記ヒンジ１３が露出する後退位置と、前記ヒンジ１３を覆うとともに第１の支持棒本体１１および第２の支持棒本体１２に嵌合する前進位置との間で移動可能に構成されている。
このため、この実施の形態による刺股１は、可動部材３２を後退位置に移動させて第１の支持棒本体１１に対して第２の支持棒本体１２を折り曲げることによって、全長が短くなるから、運搬や収納を容易に行うことができるものである。
【符号の説明】
【００３４】
１…刺股、２…第１の二股状部材、３…第２の二股状部材、６…突子６、１１…第１の支持棒本体、１２…第２の支持棒本体、１３…ヒンジ、２１…第１の連結部、２２…筒体、２５…第１の支軸、３１…第２の連結部材、３２…可動部材、３３…第２の支軸、４１…第３の連結部材。
【図１】
0003165292.tif 000003
【図２】
0003165292.tif 000004
【図３】
0003165292.tif 000005
【図４】
0003165292.tif 000006
【図５】
0003165292.tif 000007
【図６】
0003165292.tif 000008
【図７】
0003165292.tif 000009